(57)【要約】この薬液注入ヘッド１１０は、ａ：円筒状のシリンダ部材にピストン部材がスライド自在に挿入されたシリンジを保持するシリンジ保持部１４０と、ｂ：上記シリンジのピストン部材を移動させるためラム部材１３１を有するピストン駆動機構１３０と、ｃ：第１の色で発光し上記シリンジを照らす第１の発光部１３３ａおよび第２の色で発光し上記シリンジを照らす第２の発光部１３３ｂとを備え、第１の発光部１３３ａおよび第２の発光部１３３ｂは、注入ヘッドの使用時姿勢で見て、上記ラム部材１３１よりも上方に設けられている。
2019103110.tif 000002
【特許請求の範囲】
【請求項１】
ａ：円筒状のシリンダ部材にピストン部材がスライド自在に挿入されたシリンジを保持するシリンジ保持部と、
ｂ：前記シリンジのピストン部材を移動させるためラム部材を有するピストン駆動機構と、
ｃ：第１の色で発光し前記シリンジを照らす第１の発光部および第２の色で発光し前記シリンジを照らす第２の発光部と、
を備える注入ヘッドであって、
第１の発光部および第２の発光部は、注入ヘッドの使用時姿勢で見て、前記ラム部材よりも上方に設けられている、
注入ヘッド。
【請求項２】
前記第１の発光部および第２の発光部は、円弧形状に形成されている、請求項１に記載の注入ヘッド。
【請求項３】
前記第１の発光部および第２の発光部は、前記ラム部材の中心軸と同軸の円弧形状である、請求項２に記載の注入ヘッド。
【請求項４】
前記シリンジは保護ケースに収めた状態で前記シリンジ保持部に保持される、請求項１〜３のいずれか一項に記載の注入ヘッド。
【請求項５】
前記第１の発光部および第２の発光部の発光に関し、
薬液注入の準備フェーズでは、第１の発光部を点灯または点滅させず、
薬液注入フェーズで、第１の発光部を点灯または点滅させる、
ように構成されている請求項１〜４のいずれか一項に記載の注入ヘッド。
【請求項６】
前記シリンジを検出した場合、または前記シリンジに装着された保護ケースを検出した場合に、第１の発光部または第２の発光部のいずれかまたは両方を点灯または点滅させるように構成されている、請求項１〜５のいずれか一項に記載の注入ヘッド。
【請求項７】
前記シリンジ保持部は、前記シリンジの一部または同シリンジに装着された保護ケースの一部を保持するクランパ機構を有し、
前記クランパ機構が開状態から閉状態に切り換わった場合、または、閉状態から開状態に切り換わった場合に、第１の発光部または第２の発光部のいずれかまたは両方を点灯または点滅させるように構成されている、請求項１〜６のいずれか一項に記載の注入ヘッド。
【請求項８】
請求項１〜７のいずれか一項に記載の注入ヘッドと、
前記注入ヘッドに接続されたコンソールと、
を備える薬液注入装置。
【請求項９】
１つまたは複数のディスプレイと、
第１の薬液が充填された第１の薬液収納体および第２の薬液が充填された第２の薬液収納体から薬液を押し出す装置における注入条件を設定するためのグラフィカルユーザインターフェースの情報を保持した制御装置と、
を備える注入条件設定システムであって、
前記グラフィカルユーザインターフェースは、
第１の薬液と第２の薬液との混和条件に関する情報を示す表示部と、
混和条件を変更するためのウィンドウであって、操作者が入力を行うための入力ボタン画像と、混和の方式を選択するための複数の混和方式設定ボタンとを含むウィンドウと、
を含む、注入条件設定システム。
【請求項１０】
前記複数の混和方式設定ボタンとして、
倍率方式ボタン、割合方式ボタン、および比率方式ボタンのうち少なくとも２つが表示される、
請求項９に記載の注入条件設定システム。
【請求項１１】
操作者が入力を行うための前記入力ボタン画像がテンキーである、請求項１または９または１０に記載の注入条件設定システム。
【請求項１２】
前記第１の薬液収納体が第１のシリンジであり、
前記第２の薬液収納体が第２のシリンジである、
請求項９〜１１のいずれか一項に記載の注入条件設定システム。
【発明の詳細な説明】
【技術分野】
【０００１】
本発明は、被検者に造影剤などの薬液を注入する注入ヘッドおよび薬液注入装置に関し、特には、操作者が、注入前にシリンジ内の気泡混入状態を良好に確認することができる注入ヘッドおよび薬液注入装置に関する。
【背景技術】
【０００２】
医療用の画像診断装置として、ＣＴ(Ｃｏｍｐｕｔｅｄ  Ｔｏｍｏｇｒａｐｈｙ)スキャナ、ＭＲＩ(Ｍａｇｎｅｔｉｃ  Ｒｅｓｏｎａｎｃｅ  Ｉｍａｇｉｎｇ)装置、ＰＥＴ(Ｐｏｓｉｔｒｏｎ  Ｅｍｉｓｓｉｏｎ  Ｔｏｍｏｇｒａｐｈｙ)装置、超音波診断装置、血管造影（アンギオグラフィ）撮像装置等が知られている。このような撮像装置を使用する際、患者に造影剤や生理食塩水など（以下、これらを単に「薬液」とも言う）を注入することがある。【０００３】
薬液を自動注入する装置としては従来、種々のものが知られている。装置の構成や性能は、その装置がどのような検査で使用されるか（換言すれば、どのような種類の撮像装置とともに使用されるか）等によって異なっているが、血管造影用の薬液注入装置としては例えば特許文献１のようなものが知られている。血管造影検査は、通常、細いカテーテルと呼ばれる中空の管を血管内に導入し、目的の血管対象部付近にカテーテルの先端を位置させた後、造影剤等を血管内に流し、撮影を行うというものである。これにより造影された血管がディスプレイ等に映し出され、医師はその画像を見ながら診断および治療を行う。血管造影検査は、細いカテーテルを通じて薬液の注入が行われるものであるので、注入圧力が非常に高くなるという特徴があり、この点がＣＴ検査用の薬液注入装置やＭＲ検査用の薬液注入装置との大きな違いの１つとなっている。
【先行技術文献】
【特許文献】
【０００４】
【特許文献１】特許第５５８６３１０号
【発明の概要】
【発明が解決しようとする課題】
【０００５】
ところで、血管造影検査では、薬液注入装置に空のシリンジをセットし、院内で必要量の造影剤をシリンジ内に吸引して注入を行うのが一般的である。薬液の注入においては、被検者側へ気泡が送り込まれないように、注入前にシリンジ内の気泡混入状態が良好に確認できるようになっていることが望ましい。【０００６】
本発明は上記問題点に鑑みてなされたものであって、その目的は、操作者が、注入前にシリンジ内の気泡混入状態を良好に確認することができる注入ヘッドおよびそれを備えた薬液注入装置を提供することにある。
【課題を解決するための手段】
【０００７】
上記課題を解決するための本発明の一形態による発明は、下記の通りである：
ａ：円筒状のシリンダ部材にピストン部材がスライド自在に挿入されたシリンジを保持するシリンジ保持部と、
ｂ：前記シリンジのピストン部材を移動させるためラム部材を有するピストン駆動機構と、
ｃ：第１の色で発光し前記シリンジを照らす第１の発光部および第２の色で発光し前記シリンジを照らす第２の発光部と、
を備える注入ヘッドであって、
第１の発光部および第２の発光部は、注入ヘッドの使用時姿勢で見て、前記ラム部材よりも上方（正面側から見てラム部材の中心点よりも上方をいう）に設けられている、注入ヘッド。
・「注入ヘッドの使用時姿勢」とは、注入ヘッドにセットされたシリンジの先端側が後端側と同じ高さまたはそれより低くなるような姿勢のことをいう。【０００８】
（用語の説明）
・「薬液注入装置」とは、薬液を注入する薬液注入装置のことをいい、本明細書では、少なくとも造影剤（特には血管造影に用いられる造影剤）を注入する装置のことをいう。薬液注入装置は、カテーテルを通じて薬液を注入するものであってもよい。薬液注入装置は、次の構成要素（一部または全部）を備えていてもよい：１つまたは複数のピストン駆動機構、１つまたは複数の制御回路（制御部等であってもよい）、１つまたは複数のヘッドディスプレイおよび１つまたは複数のディスプレイ。薬液注入装置が注入ヘッドおよびコンソール等を備える場合には、（ａ）注入ヘッドにピストン駆動機構およびヘッドディスプレイが備えられ、コンソールに制御部とディスプレイとが備えられてもよい。（ｂ）注入ヘッドとコンソールの双方に制御部が設けられもよい。この形態の一例としては、注入ヘッドの内部に制御回路が配置され、コンソール内にも他の制御回路が配置されるようなものが挙げられる。【０００９】
・「薬液」とは、例えば、造影剤、生理食塩水、所定の薬剤、またはそれらを混合したものをいう。
・「接続」−本明細書において、所定の機器と他の機器とが接続されていると言った場合には、有線接続または無線接続のいずれの形態であってもよい。また、機器どうしが互いに直接接続されているものに加え、他の要素を介して間接的に接続されている場合も含む。【００１０】
・「造影剤」の具体例としては、（ｉ）ヨード濃度２４０ｍｇ／ｍｌの造影剤（例えば、３７℃において粘度３．３ｍＰａ・ｓ、比重１．２６８〜１．２９６）、（ｉｉ）ヨード濃度３００ｍｇ／ｍｌの造影剤（例えば、３７℃において粘度６．１ｍＰａ・ｓ、比重１．３３５〜１．３７１）、（ｉｉ）ヨード濃度３５０ｍｇ／ｍｌの造影剤（例えば、３７℃において粘度１０．６ｍＰａ・ｓ、比重１．３９２〜１．４３３）、等がある。なお、ヨード濃度が３７０ｍｇ／ｍｌまたはそれ以上の造影剤も利用可能である。
・「生理食塩水」の生理食塩水の具体例としては、生理食塩水２０ｍＬ中に塩化ナトリウム１８０ｍｇを含有した生理食塩水（例えば、２０℃において粘度０．９５９５ｍＰａ・ｓ、比重１．００４〜１．００６）等がある。
【発明の効果】
【００１１】
本発明によれば、操作者が、注入前にシリンジ内の気泡混入状態を良好に確認することができる注入ヘッドおよびそれを備えた薬液注入装置を提供するができる。
【図面の簡単な説明】
【００１２】
【図１】本発明の一形態の実施形態の薬液注入装置を含むシステムの構成例を示す模式図である。
【図２】注入ヘッドの一例を示す斜視図である。
【図３】シリンジおよびそれに装着される保護カバーの斜視図である。
【図４】薬液中入装置の各部構成を模式的に示すブロック図である。
【図５】注入ヘッド前端部を示す斜視図である。
【図６】注入ヘッド前端部を示す正面図である。
【図７】注入条件を設定するためのグラフィカルユーザインターフェースである（初期画面）。
【図８】注入条件を設定するためのグラフィカルユーザインターフェースである（身体区分の１つを選んだ状態）。
【図９】注入条件を設定するためのグラフィカルユーザインターフェースである（撮像部位の１つを選んだ状態）。
【図１０】注入条件を設定するためのグラフィカルユーザインターフェースである（スタンバイ状態）。
【図１１】注入条件を設定するためのグラフィカルユーザインターフェースである（スタートＯＫ状態）。
【図１２】注入条件を設定するためのグラフィカルユーザインターフェースである（希釈倍率の変更）。
【図１３】薬液注入中の画面の一例である。
【図１４】注入が一時的に停止されている状態の画面の一例である。
【図１５】注入条件を設定するためのグラフィカルユーザインターフェースである（撮像部位の変更）。
【図１６】撮像部位のアイコンの一例である。
【図１７】ディスプレイに表示される画像を意匠の一部とする薬液注入器用インジェクタの操作機（コンソール）の六面図である。
【図１８】注入ヘッドの保持機構の一例を示す斜視図である。
【図１９】ミキシングデバイスを用いた混和であることを示す画像を含む画面の一例である。
【図２０】ミキシングデバイスを用いた混和であることを示す画像を含む画面の他の例である。
【図２１】ミキシングデバイスを用いた混和であることを示す画像を含む画面のさらに他の例である。
【図２２】注入条件を設定するためのグラフィカルユーザインターフェースの一例である。
【図２３】薬液注入中の画面の別の例を示す図である。
【図２４】注入条件の表示態様の一例を示す図である。
【図２５Ａ】薬液注入装置を含む病院システムの一例を示す図である。
【図２５Ｂ】注入結果表示の一例を示す図である。
【図２５Ｃ】注入結果の詳細表示の一例を示す図である。
【図２６】注入ヘッドを保持するための機構の一例を示す斜視図である。
【図２７】注入ヘッド等の取付機構の一例を示す斜視図である。
【図２８】図２７の取付機構を正面側から見た図である。
【図２９】図２７の取付機構の細部を示す斜視図である。
【図３０】図２７の取付機構を側面側から見た図である。
【図３１】注入ヘッドの保持機構の一例を示す斜視図である。
【図３２】図３１の保持機構の細部を示す斜視図である。
【図３３】図３１の保持機構の細部を示す斜視図である（保持アセンブリ）。
【図３４】図３１の保持機構の細部を示す斜視図である（ハンドル）。
【図３５】注入ヘッド等の取付構造の別の例を示す斜視図である。
【図３６】注入ヘッド等の取付構造の別の例を示す斜視図である。
【図３７】図３５の取付構造の細部を示す斜視図である。
【図３８】図３５の取付構造の細部を示す図（側面側から見た図）である。
【図３９Ａ】インフュージョンモードの画面の一例である（チェック状態）。
【図３９Ｂ】インフュージョンモードの画面の一例である（スタンバイ状態）。
【図３９Ｃ】インフュージョンモードの画面の一例である（スタートＯＫ状態）。
【図３９Ｄ】インフュージョンモードの画面の一例である（注入中）。
【図４０】注入ヘッドの発光部であるインジケータ部分を変更した例を示す斜視図である。
【図４１】発光パターンを説明するための図である。
【発明を実施するための形態】
【００１３】
本発明の一形態を図面を参照して以下に説明する。なお、以下では薬液注入装置等の具体的な一例が開示されているが、本発明は必ずしもこれらの具体的構成に限定されるものではない。
【００１４】
本実施形態の薬液注入装置１００は、図１に一例を示ように注入ヘッド１１０とそれに電気的に接続されたコンソール２１０とを備えている。また、注入ヘッド１１０とコンソール２１０とに電力を供給する電源ユニット１９０が設けられていてもよい。図１では２つの撮像装置３００−１、３００−２（単に撮像装置３００ともいう）が設けられている。但し、撮像装置は１つのみであってもよい。電源ユニット１９０は、制御回路を内蔵したものであってもよく、この制御回路は、一例で、注入ヘッドおよびコンソールの少なくとも一方に接続され信号のやり取りを行う。図１の薬液注入装置１００は３つの機器からなるものであるが、コンソール２１０と注入ヘッド１１０とで構成されるものであってもよい。
【００１５】
撮像装置３００としては、例えばＸ線ＣＴ撮像装置３００−１と、血管造影用の撮像装置３００−２とが設けられていてもよい。血管造影用の撮像装置としては、Ｃアームを有するものであってもよい。撮像装置３００は、薬液注入装置１００と連携可能に接続され、所定の情報を相互間でやりとりする。例えば、一方の動作開始もしくは動作終了と、他方の動作開始もしくは動作終了のタイミングが同期するように構成されていてもよい。
【００１６】
〔１．血管造影用シリンジおよび保護ケース〕
シリンジ等の構成に関し、血管造影用シリンジおよびその保護ケースは図３に示すようなものであってもよい。血管造影用のシリンジ８００（８００Ａ、８００Ｂ）は、円筒状のシリンダ部材８１０と、その内部にスライド自在に挿入されたピストン部材８２０（図４参照）とを有している。シリンジ８００の容量は、限定されるものではないが、例えば５０ｍｌ〜３００ｍｌ程度、または１００ｍｌ〜２００ｍｌ程度である（本明細書では「ａ〜ｂ」はａ以上ｂ以下を意図する）。
【００１７】
シリンダ部材８１０の材質は、樹脂、ガラス、または金属等であってもよい。シリンダ部材８１０は、その基端部または基端部付近にフランジ部８１１ｆが形成されている。フランジ部８１１ｆの輪郭形状はどのようなものであっても構わないが、例えば、円形、楕円形、または多角形等であってもよいし、それらの外周部分を直線で部分的に切除したような形状であってもよい。フランジ部８１１ｆには、１つまたは複数の切欠き部が形成されていてもよく、例えば、フランジ部８１１ｆの一方の側とその反対側とのそれぞれに凹部として形成された切欠き部が１つずつ形成されていてもよい。切欠き部に対しては、注入ヘッド側に設けられた不図示の係止機構が係止する。シリンダ部材８１０の先端部には細長く突出した導管部（ノズル部）８１１ａが形成されている。導管部８１１ａの先端には、薬液チューブを接続するためのルアーロック構造が形成されている。ピストン部材８２０（図４参照）は、いわゆるロッドレスタイプのプランジャであり、ピストン部材８２０の背面には所定のロッド（不図示）またはピストン駆動機構のラム部材（詳細は図５参照）が連結可能な係止突起８１４が形成されている。
【００１８】
なお、血管造影用のシリンジ８００には、通常、製品の保証耐圧が設定されている。保証耐圧は、一例で、６００ｐｓｉ以上、８００ｐｓｉ以上、または１０００ｐｓｉ以上であってもよい。なお、シリンジは予め薬液（造影剤または生理食塩水等）が充填されたプレフィルドタイプであってもよいし、空のシリンジに薬液を吸引して使用する吸引式のものであってもよい。
【００１９】
血管造影用のシリンジ８００は、図３に例示するような保護ケース８４０内に挿入された状態で注入ヘッド１１０に装着される。このような保護ケース８４０としては、一例で、略円筒形の中空の本体部材８４１を有するものであってもよい。本体部材８４１は、先端側が略閉じ、後端側が開口した構成となっている。シリンジ８００は保護ケース８４０の後端側の開口から挿入される。本体部材８４１の先端面にはシリンジの導管部８１１ａを通すための開口部８４１ｈが形成されている。保護ケース８４０の基端部には、フランジ部８４１ｆが形成されている。フランジ部８４１ｆは、注入ヘッド側の保持構造（例えばクランパ機構）によって保持されるのに適した形状および／または強度に設計されている。保護ケース８４０の材質は、特に限定されないが、樹脂、ガラス、金属等であってもよい。
【００２０】
〔２．注入ヘッド〕
注入ヘッド１１０は、図２に示すように、筐体１１１を有し、その筐体１１１の前端側に２本のシリンジ８００Ａ、８００Ｂ（図４参照）が装着されるようになっている。なお、ここでは、二筒式の注入ヘッドで説明するが、本発明は単一のシリンジを保持するシングルタイプのもの等にも応用可能である。
【００２１】
注入ヘッド１１０は、保護ケース８４０（図３参照）に入った状態でシリンジ８００を保持するシリンジ保持部１４０と、筐体１１１内に配置されたピストン駆動機構１３０（図４、図５参照）と、そのピストン駆動機構１３０に電気的に接続された制御回路１５０（図４参照）とを有している。
【００２２】
シリンジ保持部１４０は、一対のクランパ１４５と、保護ケース受け１４１とを有している。クランパ１４５は、保護ケース８４０の一部を保持する保持手段である。保持手段としては、保護ケース８４０を安定的に保持できるものであればどのような構成であってもよく、例えば、特許第５４９２８７３号に開示された方式であってもよい。保護ケース受け１４１は、クランパ１４５よりも先端側に位置しており、保護ケース８４０の外周面を保持する凹部を有している。この凹部は、例えば、保護ケース８４０の外周面形状に対応する円弧状（略半円）に形成され、保護ケース８４０の下側を保持する。この保護ケース受け１４１は、透明または半透明の材質で形成されていてもよいし、または、不透明の材質で形成されていてもよい。
【００２３】
本実施形態の注入ヘッド１１０には、図５に示すような位置に発光部１３３a、１３３ｂ（発光部１３３ともいう）が設けられている。図５に示されている符号１３１は、ピストン駆動機構の一要素であるラム部材であり、シリンジのピストン部材８２０をスライド移動させるための部材である。ラム部材１３１は全体的な形状が略棒状の部材であり、その軸線は、一例で、シリンジ８００の中心軸と一致するように設計されている。
【００２４】
発光部１３３ａ、１３３ｂは、注入ヘッド１１０の筐体１１１の前端部に位置している。具体的には、図６に示すように、ラム部材１３１と同軸の基準円Ｌ１３１に沿うような円弧形状の開口部として設けられている。円弧は、その中心角が９０度もしくはそれ未満、または、６０度もしくはそれ未満
となるような範囲で形成されたものであってもよい。一方の発光部１３３ａが第１の薬液であることを示す所定の色で発光（例えば、造影剤であることを示す色として緑色）し、他方の発光部１３３ｂが別の色（例えば、白色）で発光するように構成されていてもよい。
【００２５】
もう一方のシリンジ側の発光部１３３ａ′、１３３ｂ′に関しても、一方の発光部１３３ａ′が第２の薬液であることを示す所定の色で発光（例えば、生理食塩水であることを示す色として青色）し、他方の発光部１３３ｂ′が別の色（例えば、白色）で発光するように構成されていてもよい。
【００２６】
別の態様として、発光部１３３ａを、シリンジ内の薬液に対応した第１の色（例えば緑色）とし、発光部１３３ａ′を、もう一方のシリンジ内の薬液に対応した第２の色（例えば青色）とし、発光部１３３ｂ、１３３ｂ′についてはそれ以外の色（第３の色）としてもよい。このような３色以上の発光パターンをある特定の状態となった場合に実施することで、操作者はその発光パターンを見て薬液注入状態の現在の状態を確認することが可能となる。タイミングとしては、特に限定されるものではないが、例えば、スタンバイ状態が解除された時点であってもよい。
【００２７】
図６の図示左側（Ａシリンジ側）の発光部１３３ａ、１３３ｂを例として他の発光態様についても説明する。Ａシリンジ側を例としているが、Ｂシリンジ側も同様の動作をするようになっていてもよい。例えば、保護ケース８４０（図３）が未装着の場合、発光部１３３ａ、１３３ｂは発光させない。保護ケース８４０が装着されたら、発光部１３３ａ、１３３ｂのうちいずれか一方、または、両方を点灯させるようにしてもよい。具体的には、白色の発光部１３３ｂを点灯させるようにしてもよい。点灯ではなく、点滅させる形態であってもよい。このような発光切替は、例えば、保護ケース８４０の有無の検出結果をトリガとして行われてもよいし、または、クランパ１４５の開閉の検出結果をトリガとして行われてもよい。
【００２８】
薬液注入中の発光態様としては、例えば、ＡシリンジとＢシリンジのうち、Ａシリンジ側のみの注入の場合には、Ａシリンジ側は発光部１３３ａ（例えば緑色）のみを発光させ、Ｂシリンジ側は発光部１３３ｂ′（例えば白色）のみを発光させる（もしくは発光させなくてもよい）。発光部１３３ａは、点灯でも点滅でもいずれであってもよい。Ｂシリンジ側のみの注入の場合には、Ａシリンジ側は発光部１３３ｂ（例えば白色）のみを発光させ（もしくは発光させなくてもよい）、Ｂシリンジ側は発光部１３３ａ′（例えば青色）のみを発光させる。発光部１３３ａ′は、点灯でも点滅でもいずれであってもよい。
【００２９】
薬液注入中における発光態様として、注入している側を点滅（特にはシリンジ内の薬液に対応した色での点灯）で、注入していない側を点灯（特にはシリンジ内の薬液に対応した色での点灯）させるようにしてもよい。Ａシリンジの薬液とＢシリンジの薬液とが注入されるプロトコルの時にはこの態様としてもよい。次に、Ａシリンジ側のみが注入されるプロトコルの場合、注入している側を点滅（特にはシリンジ内の薬液に対応した色での点灯）で、注入していない側を消灯としてもよい。Ｂシリンジ側のみが注入されるプロトコルの場合、注入している側を点滅（特にはシリンジ内の薬液に対応した色での点灯）で、注入していない側を点灯（特にはシリンジ内の薬液に対応した色での点灯）としてもよい。
【００３０】
ＡシリンジとＢシリンジの同時注入の場合には、発光部１３３ａ（例えば緑色）と発光部１３３ａ′（例えば青色）のみを発光させ、発光部１３３ｂ、１３３ｂ′は発光させないようにしてもよい。このときの発光は、点灯でも点滅でもいずれであってもよい。
【００３１】
何らかのエラーが生じた場合には、全ての発光部を点滅表示させるようにしてもよい。
【００３２】
発光部１３３ａ、１３３ｂの光源としては、限定されるものではないが、例えばＬＥＤ（ｌｉｇｈｔ  ｅｍｉｔｔｉｎｇ  ｄｉｏｄｅ）を使用することができる。光源の照射方向は、シリンジ８００の中心軸と並行な方向であってもよい。発光部１３３ａ、１３３ｂの光でシリンジ内の薬液を照らすことで、操作者は、シリンジ内部の薬液の量や気泡の混入などを良好に目視確認できるものとなる。基準円Ｌ１３１の大きさ（言い換えれば発光部１３３ａ、１３３ｂの位置）は、保護ケース８４０（図３参照）のフランジ部８４１ｆと同程度であってもよいし（この場合、光はフランジ部８４１ｆに対して照射される）、フランジ部８４１ｆよりも外側となる位置であってもよい。
【００３３】
具体的な構成例として、注入ヘッド１１０の前端面１１１ａが垂直面として形成されており（ヘッドを水平姿勢とした場合）、発光部１３３ａ、１３３ｂがその面に形成された開口部であってもよい。薬液の浸入等を防ぐために、開口部には透過性の樹脂部材がはめ込まれていてもよい。また、その透過性樹脂部材が前端面１１１ａから突出したり窪んだりしないように、同面と面一に形成されていることも一例として好ましい。
【００３４】
注入ヘッド１１０を構成する複数の構造部については従来公知の構成を利用可能であり、詳細な説明は省略するものの、ピストン駆動機構、制御回路、および各種センサ等は次のようなものであってもよい。
【００３５】
（ピストン駆動機構）
ピストン駆動機構１３０は、図４に示すように、アクチュエータとしてのモータ１３９と、モータ１３９の回転出力を伝達する伝達機構１３７と、伝達機構１３７により回転させられるボールねじ１３５と、ボールナットユニット１３２と、ボールナットユニット１３２の移動に伴って進退移動するラム部材１３１と、これらの要素の少なくとも一部を保持するフレーム（不図示）とを有している。一形態においては、ボールねじ１３５にエンコーダ（不図示）が設けられ、回転量、回転角度が検出可能に構成されている。
【００３６】
モータ１３９としては、直流モータを用いることができ、その中でも特に、直流ブラシレスモータを好ましく用いることができる。ブラシレスモータは、ブラシが無いことにより、音が静かで耐久性に優れるという利点を有している。一般的にブラシレスモータは、内部のマグネットの位置を検出するためにセンサを有している。そこで、このセンサからの出力を利用して、モータの回転量および回転速度を検知するようにしてもよい。もっとも、モータの回転量および／または回転速度を検出するための回転センサ１３９ｓが別途設けられていてもよい。具体的には、ロータリエンコーダやレゾルバ等を利用することができる。血管造影検査において比較的高圧で造影剤注入を行うために、高出力のモータ、例えば出力が７０ｗ以上、１５０Ｗ、２５０Ｗ以上、３００Ｗ以上、４５０Ｗ以上のものを用いることも好ましい。
【００３７】
モータ１３９の出力は、伝達機構１３７を介して、ボールねじ１３５に伝達される。伝達機構１３７としてはどのようなものであっても構わないが、一例で、モータ１３９の出力軸に直接的または間接的に接続された第１のプーリ（不図示）と、ボールねじ１３５に直接的または間接的に接続された第２のプーリ（不図示）と、これら２つのプーリ間に掛け回されたベルト（不図示）とを有するものであってもよい。なお、このようなベルト伝達機構の代わりに、歯車装置やチェーン伝達機構等を用いてもよい。
【００３８】
（ブロック図についての説明）
注入ヘッド１１０は、図４に示すように、一例で、制御回路１５０と、記憶部１６８と、入力デバイスとしての物理的ボタン１６１と、他の入力デバイスとしての操作ノブ１７０、各種センサ１６２〜１６５と、表示部１４６、ヒータ１４１ａ、インジケータ１７３等を備えている。
【００３９】
操作ノブ１７０は、注入ヘッド１１０の筐体１１１内部の所定の機構に物理的にリンクしており、操作ノブ１７０を回転させるとその力がピストン駆動機構１３０に伝達されてラム部材１３１が前進または後退するように構成されたものであってもよい。あるいは、操作ノブ１７０は、筐体１１１内部の所定の機構に物理的にはリンクしておらず（非接触）、回転を電気的に検出して、その検出結果を利用してピストン駆動機構１３０の駆動源を動作させ、ラム部材１３１を前進または後退させるものであってもよい。後者の場合、操作者が操作ノブ１７０を回していることを実感し易くするために、回転に応じてクリックが得られるような構成を採用してもよい。
【００４０】
（制御回路）
制御回路１５０は、演算処理を行うＣＰＵ（Ｃｅｎｔｒａｌ  Ｐｒｏｃｅｓｓｉｎｇ  Ｕｎｉｔ）とメモリとインターフェース等を有し、メモリ内に格納されたコンピュータプログラムを実行することで様々な機能を実現する。制御回路１５０はワンチップマイコン等のプロセッサを備えるものであってもよい。所定の基板上にプロセッサが実装されるとともに、種々の電気回路（例えばモータ駆動回路）がその基板上に設けられたものであってもよい。制御回路１５０は、注入ヘッドの各種要素に電気的に接続されている。
【００４１】
制御回路１５０は一例で下記のような処理を行うように構成された（プログラムされた）ものであってもよい：
−各種センサからの信号に基づいて所定の演算処理、制御を行う、
−ピストン駆動機構に対して所定のモータ制御信号を送り動作を制御する、
−ディスプレイに所定の情報を表示させる、
−物理ボタン等の入力装置を通じた操作者からの入力を受け付ける、
−ヒータの動作を制御する、等。
【００４２】
（各種センサ等）
（ａ１）位置センサ
位置センサ１６２は、ラム部材１３１の可動範囲を規定するためのものである。例えば、ラム部材１３１が最前進位置まで移動したことを検出する第１のセンサと、ラム部材１３１が最後退位置まで移動したことを検出する第２のセンサとを有するものであってもよい。これらのセンサとしては、接触式のものであってもよいし、または、非接触式のものであってもよい。非接触式のものとしては、発光素子と受光素子を有する光学式のセンサを利用することができる。具体的には、被検出体によって光が遮られることにより、受光素子の受光量が減少し、この減少をとらえて検出を行うフォトインタラプタであってもよい。または、反射型のフォトインタラプタを利用してもよい。第１のセンサは、図４に模式的に示すようにラム部材の移動方向に沿った方向の前方側（符号ｐ１参照）に配置され、第２のセンサは後方側（符号ｐ２参照）に配置されていてもよい。他にも、位置センサとしては、物理的な接触を利用した接触センサ、電気的に対象物を検出する電気センサ、磁気センサ、ホールセンサ、近接センサ、等を利用することもできる。
【００４３】
（ａ２）クランパセンサ
クランパセンサ１６３としては、クランパ１４５が所定の閉止位置まで閉じられた際に、その一部に接触するように構成された接触式のセンサであってもよい。または、クランパ１４５が所定の閉位置まで閉じられた際に、その一部の位置を、光学的または磁気的に検出する非接触式のセンサであってもよい。
【００４４】
（ａ３）シリンジ検出センサ
シリンジセンサ１６４は、シリンジおよび／または保護ケースが装着されたか否かを検出するのに利用される。さらには、どのような種類のシリンジおよび／または保護ケースが装着されたかをも判定できるものであってもよい。このようなセンサとしては、接触式または非接触式のいずれであってもよく、例えば次のようなものを利用できる：物理的な接触を利用した接触センサ、電気的に対象物を検出する電気センサ、磁気センサ、ホールセンサ、近接センサ等。
【００４５】
上記各種センサは、シリンジの検出ではなく、保護ケースの検出にも応用可能である。例えば、保護ケースに１つまたは複数の識別部材を設けておき、これをセンサで検出するようにしてもよい。識別部材としては、金属またはマグネット等を利用可能である。識別される情報としては、保護ケースのサイズ（直径寸法および／または長さ寸法など。別の言い方をすれば、どのような直径のシリンジに対応したものか、および／または、どのような長さのシリンジに対応したものか。）およびシリンジの薬液情報等の少なくとも１つを含むものであってもよい。マグネットの極性の違いを検出して情報の識別を行うようにしてもよい。マグネットは１つまたは複数のいずれでも構わない。識別部材を設ける位置は特に限定されるものではないが、例えば、保護ケースのフランジ部またはその周辺であってもよい。具体的には、フランジ部から突出した部分に識別部材が１つまたは複数設けられていてもよい。この「フランジ部から突出した部分」としては、略板状の構造部であってもよく、一例で、フランジ部の径方向外側に所定長さ張り出した形状であってもよい。
【００４６】
具体的な例として、複数のマグネットを利用し、いずれもＮ極の場合には第１のタイプ、いずれもＳ極の場合には第２のタイプ、一方がＮ極で他方がＳ極の場合には第３のタイプ、一方がＳ極で他方がＮ極の場合には第４のタイプなどと検出を行うことができる。薬液注入装置は、こうして読み取った情報に基づき、ラム部材の可動範囲を自動設定するように構成されていることが、一形態において、好ましい。また、薬液注入装置は、こうして読み取った情報に基づき、薬液の種類や製品名、あるいは、プレフィルドシリンジか否か等を認識するように構成されていてもよい。
【００４７】
（ａ４）圧力センサ
圧力センサ１６５は、シリンジのピストン部材８２０を押す圧力を算出するためのものであり、これにより、薬液の圧力推定値を求めることができる。圧力センサ１６５は、一例でロードセルであってもよい。ロードセルは、ピストン駆動機構１３０のラム部材１３１がピストン部材を押す圧力を検出できるような位置に設けられていればよい。ロードセルの検出結果を利用して、例えば、薬液を注入しているときの薬液の圧力の推定値を求める場合、その算出は、針のサイズ、薬液の濃度、注入条件なども考慮して行われてもよい。なお、圧力の算出は、上記したような圧力センサを利用するもののほか、ピストン駆動機構のモータ電流に基いて行われるものであってもよく、また、こうしたモータ電流方式は、圧力センサと併用されてもよいし、圧力センサを設けることなく単独で実装されてもよい。
【００４８】
（ａ５）ディスプレイ
所定の情報を表示するための１つまたは複数の表示部１４６が注入ヘッドに、または注入ヘッドとは別に、設けられていてもよい。表示部１４６はＬＣＤ（Ｌｉｑｕｉｄ  Ｃｒｙｓｔａｌ  Ｄｉｓｐｌａｙ）でもよいし、有機ＥＬ（Ｏｒｇａｎｉｃ  Ｅｌｅｃｔｒｏ−Ｌｕｍｉｎｅｓｃｅｎｃｅ）ディスプレイを利用したものであってもよい。
【００４９】
続いて、表示部１４６に表示される内容としては、特に限定されないが、次のようなもの少なくとも１つであってもよい：
−セルフチェックに関する表示、
−注入開始前の所定の状態表示、
−ヘッドの姿勢に関する所定の表示、
−シリンジ装着に関する所定の表示、
−注入動作中の所定の状態表示、
−注入予定の薬液注入条件の表示、
−注入された薬液注入条件の表示、
−異常時のワーニング表示、等。
【００５０】
（ａ６）ヒータ
本実施形態の注入ヘッドにおいてはシリンジ内の薬液を加温するための加温素子が設けられていてもよく、一例として、ＩＴＯ膜を用いた透明ヒータ１４１ａが設けられていてもよい。
【００５１】
（ａ７）インターフェース
インターフェース１６９は、コンソール２１０と信号のやりとりを行うための接続部である。コンソール２１０と注入ヘッド１１０との接続は、有線であってもよいし、無線であってもよい。
【００５２】
（ａ８）記憶部
記憶部１６８は、データを記憶可能な記憶媒体であればどのようなものであってもよく、メモリ、ハードディスク等で構成しうる。記憶部１６８には、注入ヘッドの基本的な動作に関する情報（動作アルゴリズム等）やデータテーブル等が記憶されていてもよい。このような情報の一部は、注入ヘッド側ではなくコンソール側の記憶部２６１に記憶されていてもよい。
【００５３】
（ａ９）物理ボタン
物理ボタン１６１としては、特に限定されないが、次のようなものであってもよい：
−ラム部材を前進させるための前進ボタン、
−ラム部材を前進させるための後退ボタン、
−前進ボタンまたは後退ボタンと同時に押すことでラム部材の移動速度を早くするアクセラレータボタン（加速ボタン）、
−ラム部材を後退位置まで戻すリターンボタン、
−ヘッドの動作を停止させる停止ボタン、等。
【００５４】
（ａ１０）発光部
図４のインジケータ１７３は、一例でＬＥＤ（Ｌｉｇｈｔ  Ｅｍｉｔｔｉｎｇ  Ｄｉｏｄｅ）であり、注入ヘッドの動作状態を操作者に知らせるためのものである。
【００５５】
〔３．コンソール〕
コンソール２１０としては、図４に示すように、制御部２５０と、記憶部２６１と、通信部２６２と、スロット２５７と、タッチパネル２５３と、ディスプレイ２５１とを有するものであってもよい。一例で、１つの筐体内に制御部２５０が配置されるとともに、その筐体前面にディスプレイ２５１が配置されたような一体型のコンソールとしてもよい。１つのコンソールではなく、複数のコンソールを利用するシステムとしてもよい。
【００５６】
筐体の形態は何ら限定されるものではない。コンソールが使用される場面に応じて適宜好ましい筐体形状としてもよい。例えば、次のようなものであってもよい：
−操作室のテーブルに配置されて使用されるのに適した据置型の筐体形状、
−所定の支持部材あるいは壁などに好適に取り付けることができる筐体形状（例えば背面側が略フラットに形成された薄型の筐体）、等。
【００５７】
コンソールのディスプレイは、ＬＣＤ（Ｌｉｑｕｉｄ  Ｃｒｙｓｔａｌ  Ｄｉｓｐｌａｙ）や有機ＥＬ（Ｏｒｇａｎｉｃ  Ｅｌｅｃｔｒｏ−Ｌｕｍｉｎｅｓｃｅｎｃｅ）ディスプレイ等を利用した表示部であってもよい。また、タッチパネル式ディスプレイであってもよい。
【００５８】
制御部２５０は、演算処理を行うＣＰＵ（Ｃｅｎｔｒａｌ  Ｐｒｏｃｅｓｓｉｎｇ  Ｕｎｉｔ）とメモリとインターフェース等を有しており、メモリ内に格納されたコンピュータプログラムを実行することで、様々な機能を実現する。制御部２５０は、ＣＰＵ、ＲＯＭ、ＲＡＭ、およびＩ／Ｆ等のハードウェアを有しプログラムが実装されたプロセッサを有するものであってもよい。制御部２５０は、実装されたプログラムにしたがって多数の機能を有するが、コンソールの機能としては、一例で次のようなものが挙げられる：注入条件設定ＧＵＩ表示機能、注入条件設定機能、注入中の画面表示機能、注入後の画面表示機能、入力検出機能、注入制御機能等。
【００５９】
コンピュータプログラムはコンソールが有する記憶部に予め記憶されたものであってもよいし、ネットワーク等を通じて外部からダウンロードされ記憶部に記憶されるものであってもよいし、あるいは、スロットに挿入された情報記憶媒体から読み取られるものであってもよい。注入ヘッドの動作を制御するコンピュータプログラムに関しても同様であり、ヘッドの記憶部またはコンソールの記憶部に記憶されたものであってもよいし、外部から読み込まれるものであってもよい。
【００６０】
上記の各機能について簡単に説明する。注入条件設定ＧＵＩ表示機能は、注入条件を設定するためのＧＵＩ画面をディスプレイに表示する。具体的な一例として、身体区分アイコン、撮像部位アイコン等の少なくとも１つを表示し、それが選択された場合には所定の薬液注入条件をディスプレイに提示する。詳細なＧＵＩ画面については他の図面も参照して後述するものとする。
【００６１】
注入条件設定機能は、上記のように提示された薬液注入条件が医師または医療従事者によって確認／修正された後、その内容を注入条件として設定する。
【００６２】
注入中の画面表示機能は、薬液の注入中に、静止画像もしくはアニメーション画像等をディスプレイに表示する。また、薬液の注入中に、薬液の圧力情報をディスプレイに表示する。
【００６３】
注入後の画面表示機能は、実施した薬液注入に関する情報をディスプレイに表示する。
【００６４】
入力検出機能は、タッチパネルや物理ボタン等（一例）を通じて行われる医師または医療従事者からの入力を受け付ける。
【００６５】
注入制御機能は、設定された注入条件にしたがってピストン駆動機構を動作させ、薬液の注入を実施する。ピストン駆動機構の動作条件に関する情報が、コンソールから注入ヘッドへと送信され、注入ヘッドの制御回路がその情報に基いてピストン駆動機構を制御する構成であってもよい。
【００６６】
制御部２５０は、さらに、注入履歴生成機能を有していてもよい。注入履歴生成機能は、注入履歴データを生成する機能である。「注入履歴データ」としては、例えば、次のようなものの一つまたは複数であってもよい：
−ヒータの動作に関するデータ（加温開始時間、加温終了時間）、
−注入作業ごとに固有の識別情報である注入作業ＩＤ、
−注入開始および終了の日時、
−薬液注入装置の識別情報、
−注入条件である薬液や撮像部位の情報、
−注入結果としての薬液や注入圧力の情報、等。
【００６７】
再び図４を参照し、スロット２５７は、所定の情報記憶媒体が差し込まれる部分であり、コンソール２１０はこの情報記憶媒体から所定のデータを読み込むことができる。インターフェース２６９は、注入ヘッド１１０との接続を行うための接続部である。コンソール２１０は、また、通信部２６２を介して外部のネットワーク（例えば病院システムまたはインターネット）に接続可能となっていてもよい。図４には示していないが、コンソール２１０は、入力手段として、例えば、ハンドスイッチやフットスイッチを有するものであってもよい。ハンドスイッチとしては、コンソールに有線または無線で接続され操作者の手元で操作されるものであり、押しボタン式のスイッチ等を有するものであってもよい。これらのスイッチを操作することで注入ヘッド１１０および／またはコンソール２１０の動作が制御されるように構成されていてもよい。フットスイッチは、他の形態では、注入ヘッド１１０に接続されてもよい。コンソールは、音および／または音声を出力するためのスピーカ等（不図示）を有していてもよい。コンソールは、音声を入力するためのマイク等（不図示）を有していてもよい。
【００６８】
〔グラフィカルユーザインターフェース〕
薬液注入装置１００は、次のような画面の１つまたは複数のデータを有し、それを表示するものであってもよい：起動・セルフチェック画面、アンギオモード画面、ホーム画面、注入結果画面、プロトコル設定画面、およびエラー画面、等。
【００６９】
（ｂ１：画面遷移）
薬液注入装置は、次のようなユーザインターフェース画像を表示するものであってもよい。まず、図７のような、撮像部位を選択するための画面を表示する。この画面では、人体形状の画像７０１（人体画像７０１ともいう）が表示される。人体画像７０１は、複数の部位で構成されており、この例では、頭部、胸部、腹部、脚部の部位が表示されている。それぞれの部位は、画像ボタンとして機能し、選択可能となっている。なお、この画面では、注入ヘッド１１０にセットされている各シリンジの残量も表示されている。
【００７０】
次いで、人体画像７０１のうちの１つの部位を選択すると、図８のように、その部位に関連付けられた１つまたは複数の撮像部位７０３が表示される。この撮像部位７０３としては、例えば異なる複数の血管等であってもよい。撮像部位７０３も画像ボタンとして機能し、選択可能となっている。
【００７１】
次いで、表示された撮像部位７０３のうちの１つを選択すると、図９のように当該撮像部位７０３に関連付けられた薬液注入条件が表示される。ここでは、注入速度ウィンドウ７０５ａと、注入量ウィンドウ７０５ｂとが表示される。注入速度ウィンドウ７０５ａには、この例では、注入速度の情報（１０ｍＬ／ｓｅｃ）と、造影剤および生理食塩水の混和条件に関する表示（各薬液の注入速度）とが含まれている。注入量ウィンドウ７０５ｂには、この例では、注入量の情報（３０ｍＬ）と、各薬液の注入量の情報とが含まれている。なお、図９の画面では、造影剤と生理食塩水の混和条件に関する情報を表示す画像ボタン７１１も表示されている。具体的には、画像ボタン７１１には、希釈割合「５０％」という情報が表示されている。
【００７２】
図９の画面上部には、「チェック」と示された画像ボタン７０７（チェックボタン７０７ともいう）が表示されている。チェック状態とは、テストショット（テスト注入）と本注入のいずれの実施も禁止されている状態である。ここで、「テストショット」とは、例えばカテーテルの先端位置を確認することなどを目的として少量（本注入よりも少量であることをいう。注入速度が本注入よりも遅いおよび／または圧力条件が本注入よりも低い注入条件としてもよい。）の造影剤を注入することをいう。ハンドスイッチまたはフットスイッチを押している間のみ注入が継続され、押していない状態となると注入が停止されるような方式でもよい。図９の状態では、このテストショットの実施が禁止されている。チェックボタン７０７を押すことにより、この禁止状態が解除され、テストショットの実施が可能となる。
【００７３】
この状態が、図１０「スタンバイ」状態である。スタンバイ状態とは、テストショットの実施は可能であるが本注入の実施は禁止されている状態である。スタンバイ状態で、例えばカテーテルを被検者体内の所定の目的位置まで移動させたら、操作者は次いでスタンバイボタン７０８を押す。
【００７４】
すると、図１１のようなスタートＯＫの表示となっている画像ボタン７０９が現れたスタートＯＫ状態に遷移する。スタートＯＫ状態とは、操作者からの最終的な入力があった場合に薬液注入を開始することができる状態である。例えば、ハンドスイッチを押すことにより（またはフットスイッチを押すことにより）、薬液注入がスタートし、設定された注入条件にしたがって注入ヘッドが動作して、所望の薬液注入が行われる。
【００７５】
なお、上記の説明では、図８の画面で部位の選択を行うと図９の画面に遷移する例を述べたが、図９の画面を省略し、部位の選択後、直接図１０の画面に遷移にする形態としてもよい。
【００７６】
（ｂ２：テンキーウィンドウ）
本実施形態では、混和条件（希釈条件）に関する数値を変更するために画像ボタン７１１を押した際に、図１２に示すようなテンキーウィンドウ７１５が表示されるようになっていてもよい。このテンキーウィンドウ７１５には、テンキー７１２およびエンターキー７１４が表示されるとともに、複数の希釈設定ボタン７１３ａ〜７１３ｃが表示されている。希釈設定ボタンとしては、この例では、倍率方式ボタン７１３ａ、割合方式ボタン７１３ｂ、および比率方式ボタン７１３ｃが表示されている。
【００７７】
これらのボタン７１３ａ〜７１３ｃは、混和条件に関する数値に係る入力の方式を切り替えるためのものである。倍率方式ボタン７１３ａは、例えば「２倍」、「３倍」、「４倍」のように造影剤の希釈倍率を変更するためのものであり、同ボタン７１３ａを押し、例えばテンキー７１２で任意の数字を選択することで倍率の入力を行うことができる。
【００７８】
割合方式ボタン７１３ｂは、例えば「３０％」、「５０％」、「７０％」のように造影剤の混和割合を変更するためのものである。比率方式ボタン７１３ｃは、例えば「１：１」、「２：１」、「３：１」のように造影剤と生理食塩水との混和割合を変更するためのものである。
【００７９】
このように、本実施形態では倍率方式ボタン７１３ａ、割合方式ボタン７１３ｂ、比率方式ボタン７１３ｃが表示され、いずれかの入力方式を選んで数値を設定できるので、操作者は、自身が使用したい方式で数値を入力、修正することが可能となる。上記の例では、倍率、割合、比率の３つが選択できる構成であったが、そのうちの２つのみが表示される構成であってもよい。
【００８０】
混和条件の数値を変更する上記モードは、変更内容をエンターキー７１４で確定することにより、または、テンキーウィンドウ７１５とともに表示された「ｘ」ボタンを押すことにより、終了する。造影剤と生理食塩水との混和以外にも、異なる濃度の第１の薬液と第２の薬液の混和の場合にも上記の内容は応用可能である。
【００８１】
（ｂ３：注入中画面）
続いて、薬液注入中に表示される画像としては図１３のようなものであってもよい。この画像には、第１のシリンジ７１７ａと、第２のシリンジ７１７ｂと、２つの薬液の合流個所に表示されたミキシングデバイス７１８とが表示されている。ミキシングデバイス７１８は、その内部で旋回流を生じさせて２つの薬液を良好に混合させる機能を備えたコネクタである。具体的には、特許５８０４５４３号に開示されたデバイスを利用することができる。
【００８２】
薬液注入中においては、第１のシリンジ７１７ａとミキシングデバイス７１８とをつなぐ経路７１９ａで複数の液滴が被検者側に向かって進行していくようなアニメーション表示がされ、第２のシリンジ７１７ｂとミキシングデバイス７１８とをつなぐ経路７１９ｂについても複数の液滴が被検者側に向かって進行していくようなアニメーション表示がなされるようになっていてもよい。
【００８３】
また、ミキシングデバイス７１８では、旋回流を示す斜縞状の模様が被検者側に向かって進行していくようなアニメーション表示がなされるようになっていてもよい。このように、注入中の画面に、ミキシングデバイス７１８が表示され、かつ、そのデバイス内で旋回流による混和がアニメーション表示される構成とすることで、操作者はミキシングデバイスを用いた注入を実施していることを視覚的に良好に認識することができる。
【００８４】
薬液注入に、操作者からの所定の入力（例えばボタンが押される）により注入が一旦停止された場合、例えば図１４に示すように、一時停止表示７２１が表示されるようになっていてもよい。注入再開のため、操作者から所定の入力（例えば別途ボタンが押される）がされることにより、この一時停止表示７２１が消え、再び図１３の画面となって注入が再開される。
【００８５】
薬液注入中の画像は、図２３のようなものであってもよい。この画像では、図１３のものと比較して２つのシリンジ７１７ａ、７１７ｂがより小さいサイズで表示され、一方、ミキシングデバイス７１８はより大きいサイズで表示されている。その他の要素は図１３のものと同様であってもよいが、この例では、ミキシングデバイス７１８の先端からも複数の液滴が吐出されるような表示となっている。図１３と同様、液滴はアニメーション表示されるものであってもよい。なお、図１３の画像においても、ミキシングデバイス７１８の先端から複数の液滴が吐出される態様としてもよい。
【００８６】
なお、本出願は、図１３、図２３の画像を意匠の一部とする部分意匠も開示する（図１７参照）。図１３、図２３の画像のうち、その一部のみ（例えば、ミキシングデバイス７１８のみ、経路７１９ａ、７１９ｂ等の液滴の表示のみ、またはそれらとシリンジ７１７ａ、７１７ｂとの組合せ等）が登録を受けようとする部分であり、その他は破線で描かれる部分意匠をも開示する。または、他の要素の１つまたは２つ以上の任意の組合せであってもよい。図２３の画像は、図１７でコンソールに表示されている画像と置換されてもよい。
【００８７】
（ｂ４：部位選択等に関する画面）
注入条件を設定するための画面は、図７〜図９等を参照しながら前述したが、図１５のようなものであってもよい。この画面では、人体画像７０１が表示され、胸部が選択された状態となっている。そして、胸部に対応する複数の撮像部位７０３（この例ではＬＣＡ、ＬＶＧ、ＲＣＡ等）が表示され、そのうちの１つが選択された状態となっている。
【００８８】
選択された撮像部位７０３に関連付けられた注入条件が画面に表示される。ここでは、注入速度、注入量、注入時間等の情報が表示されている。画面には、また、注入のディレイ時間の情報や、立上り時間時の情報、および圧力リミットの情報も表示されている。
【００８９】
ディレイ時間は、薬液注入装置の動作と撮像装置の動作とが連動（同期）する構成を前提とするものである。すなわち、まず撮像装置のスキャンを開始し、所定時間経過後に薬液注入を開始する場合に、撮像装置のスキャン開始点に対する遅延の時間がディレイ時間である。この例では、一例で１０ｓｅｃである。本実施形態では、撮像装置のスキャンが開始すると、このディレイ時間の表示がカウントダウン方式で減少していく表示態様となっていてもよい。
【００９０】
図１５はすでに１つの撮像部位７０３（ＬＶＧ）が選択された状態である。この状態から、別の撮像部位７０３を選択するために、例えば、一旦、大区分である人体画像７０１（胸部）を選択し直し、続いて、中区分である別の撮像部位７０３（例えばＬＣＡ）を選択するという方式も考えられる。しかしながら、本実施形態では、大区分の人体部位７０１を再度選択することなく、直接、別の撮像部位７０３（例えばＬＶＧ→ＬＣＡ）に切り替えることができる構成となっている。言い換えれば、図１５の複数の撮像部位７０３のそれぞれが選択可能に構成されており、そのうちの１つを選ぶことで、直接、別の撮像部位が選択され、それに関連付けられた条件が設定されるようになっている。このような選択方式によれば、一旦、大区分である人体部位７０１を選択し直す必要が無いことから、簡便かつ直感的に操作を行うことが可能となる。
【００９１】
撮像部位７０３に関し、単に対象部位の名称（ＬＣＡ、ＬＶＧ、ＲＣＡ等）を表示するだけではなく、例えば図１６に示すように、どのような薬液が注入されるかを表すインジケータ７０４ａ、７０４ｂが表示されるようになっていてもよい。インジケータ７０４ａ、７０４ｂは、それぞれ、第１の薬液（造影剤）および第２の薬液（生理食塩水）が注入されることを意味する。第１の薬液のみの注入の場合インジケータ７０４ａのみの表示となり、第２の薬液のみの注入の場合インジケータ７０４ｂのみの表示となり、同時注入の場合は両方のインジケータ７０４ａ、７０４ｂの表示となる。第１の薬液（造影剤）と第２の薬液（生理食塩水）とは異なる色で表示される。このような構成によれば、ある撮像部位に対する注入条件がどのような設定であるかを、撮像部位７０３のボタンを見ただけで視覚的に確認することが可能となる。
【００９２】
部位が選択された後の画面としては、図９などのものの他にも、図２４のような画面に遷移する構成であってもよい。この例では、身体区分のうち胸部が選択され、さらにそのサブカテゴリである撮像部位のうち「ＬＣＡ」が選ばれている。
【００９３】
図２４の例は、第１フェーズが２つの薬液の混和注入で、第２フェーズが１つの薬液のみでの注入であるが、各フェーズの注入条件がウィンドウ１７０５ａ、１７０５ｂのそれぞれに表示されている。各ウィンドウ内には、注入速度の情報と注入量の情報とが表示されている。特に、混和注入である第１フェーズのウィンドウ１７０５ａについては、第１の薬液の注入速度および注入量の情報と、第２の薬液の注入速度および注入量の情報とが表示されている。限定されるものではないが、このように多くの情報を含むウィンドウ１７０５ａの方が、ウィンドウ１７０５ｂよりも大きいサイズで表示されるようになっていてもよい。なお、図２４の画面も、図９と同様、チェック状態の画面である。
【００９４】
（ｂ５：注入結果の画面表示）
血管造影検査では、カテーテルを所定の目的位置に移動させて造影剤を注入し、次いで、また別の目的位置にカテーテルを進めて別の注入条件で造影剤を注入し、以降同様の工程を繰り返すことが行われる。したがって、注入結果の画面表示としては、例えば、ある被検者について、第１の注入の結果（時刻、注入量、注入速度、希釈に関する情報、注入部位等の情報を含む）、第２の注入の結果（時刻、注入量、注入速度、希釈に関する情報、注入部位等の情報を含む）というように、複数の結果が順次表示されるようになっていてもよい。それぞれの注入結果に連番（例えば「１」〜「１０」）が付され、表示されるようになっていてもよい。
【００９５】
なお、血管造影検査では造影剤シリンジを交換することも想定される。例えば、現在のシリンジを注入ヘッドから外し、保護ケースに入った別のシリンジをセットした際に、別の被検者に対する検査が開始されたものとして、別の被検者の注入結果を順次記憶、表示していくようにしてもよい。シリンジがセットされたことは、上述したように、保護ケースに設けられた識別素子を注入ヘッドが認識することで、判別することができる。
【００９６】
（注入結果の出力）
本発明の一形態に係る薬液注入装置およびシステムは、薬液の注入後、その注入結果の情報が外部に出力されるように構成されていてもよい。図２５Ａに示すように、この病院システムは、薬液注入装置１００と、ＲＩＳ３１１と、ＰＡＣＳ３１３と、情報管理装置３１５と、情報表示端末３１７と、撮像室内モニタ３１９とを備えている。なお、これらの全てが必須というわけではなく、１つまたは複数が省略されていてもよい。
【００９７】
このようなシステムにおいて、薬液注入装置１００は、次の情報のうち１つまたは複数を外部に出力するように構成されていてもよい：
−薬液の注入積算量の情報、
−設定された注入条件（注入圧力、注入量、注入時間、身体区分、撮像部位等のうち１つまたは複数）の情報、
−実施した薬液注入に関する各種情報（注入圧力、注入量、注入時間、身体区分、撮像部位等のうち１つまたは複数）、等。
【００９８】
特に限定されるものでなないが、これらの情報は、薬液注入装置１００から情報管理装置３１５に一旦送られ、その情報管理装置３１５が各機器と通信を行って、情報を送信するように構成されていてもよい。
【００９９】
情報表示端末３１７は、一例として可搬性のタブレット端末であってもよく、このタブレット端末に上記の情報の少なくとも１つを表示できるように構成されていてもよい。
【０１００】
薬液の注入積算量の情報などを用い、システム内で所定の会計処理がなされるように構成されていることも好ましい。情報管理装置３１５は、ＲＩＳ３１１から被検者情報を読み込むように構成されていてもよい。この場合、情報管理装置３１５は、注入結果の情報ととともに当該被検者情報も各機器（情報表示端末３１７、撮像室内モニタ３１９、およびＰＡＣＳ３１３の少なくとも１つ）に送ることができるように構成されていることも好ましい。また、被験者情報として、その被検者の腎機能に関する情報（例えば、推算糸球体濾過量（ｅＧＦＲ）の値等）が含まれている場合、その情報がシステム内の任意の機器に送られ、検査の適否の判断に使用されたり、適宜表示されたりする処理が行われてもよい。
【０１０１】
なお、注入結果としては、例えば図２５Ｂのように、一連の検査ごとの注入結果表示１７６１が複数表示されるような態様であってもよい。この注入結果表示１７６１には、一例で、検査番号、日付、注入を開始した時間、その検査での薬液の総注入量、検査の対象となった部位の情報が含まれている。これらのうち１つまたは複数が省略されてもよいし、図示していない他の情報が含まれてもよい。
【０１０２】
この例では、１つの画面に「１」〜「１０」までの１０の注入結果表示１７６１が表示されている。一連の検査の中で、どのタイミングからどのタイミングまでを１つの注入結果表示１７６１にまとめるかは適宜自由に決定されるものであってもよいが、本実施形態では、例えば次のようなものであってもよい。すなわち、ある被検者に対する一連の検査が終わり、次の検査のためにシリンジが注入ヘッド１１０（図２参照）のクランパ１４５から外される。そして、次の新しいシリンジがクランパ１４５にセットされる。クランパ１４５が開いたこと、閉じたこと、またはそれらの両方が検出された場合に、次の検査の注入結果表示１７６１が自動的に作成されるようになっていてもよい（例えば、前回の検査が「１」であれば、「２」の注入結果表示１７６１が自動作成される）。クランパ１４５の開閉ではなく、シリンジまたは保護ケースの着脱をトリガとしてそのような処理が実行されてもよい。
【０１０３】
なお、図２５Ｂの画面では、行われた薬液注入のモードを示すモード表示１７６２も含まれている。モード表示１７６２としては、「アンギオグラフィ」、「インフュージョン」、「ＣＴ」等が表示されていてもよい。本実施形態の装置では、アンギオグラフィモード、インフュージョンモード、ＣＴモード（詳細後述）のように複数のモードを実施することができる。ここで、例えば、最初の検査がアンギオグラフィモードであり、次の検査がインフュージョンモードであり、次の検査がＣＴモードであったとする。注入結果の表示方式としては、これらの３つを１つの画面にまとめて表示するようなものであってもよいが、本実施形態では次のような表示方式となっている。すなわち、それぞれのモードごとに、実施した注入結果がグループ化して表示されるようになっている。つまり、図２５Ｂの例ではアンギオグラフィのモード表示１７６２が選択されているので、ここで表示されている「１」〜「１０」の結果は全てアンギオグラフィモードでの結果ということになる。３つのモード表示１７６２は画像ボタンとして選択可能となっており、例えば、インフュージョンを選択すればインフュージョンモードとしてグループ化された一連の注入結果が表示され、ＣＴを選択すればＣＴモードとしてグループ化された一連の注入結果が表示されるように構成されている。このような表示態様によれば、薬液注入の結果を実施したモードごとに確認することができ有用である。
【０１０４】
図２５Ｂの複数の注入結果表示１７６１のうち１つを選択することにより、例えば図２５Ｃのように、そこに含まれる詳細結果が表示されるように構成されていてもよい。図２５Ｃの画面では、一例として番号「９」の注入結果の詳細がウィンドウ１７６３内に表示されている。限定されるものではないが、詳細結果の内容としては、例えば、次の項目に関する情報の１つまたは複数であってもよい：薬液注入を行った時刻、最大速度、注入量、注入フェーズ数、単一の薬液のみの注入か複数の薬液の同時注入（希釈注入）か、注入時間、注入圧力、対象部位、混和比率、混和倍率、混和割合、ディレイ時間、立上り時間。これらの情報が、例えば実施された検査や手技ごとにグループ化され、「１」、「２」の番号を付する等して表示されてもよい。また、詳細結果として一連の注入での総注入量の情報が表示されてもよい。詳細結果の表示の具体例として、図１６を参照して説明したようなインジケータを用いた表示を行うようにしてもよい。例えば、第１のフェーズ（希釈注入）と第２のフェーズ（単一の薬液のみの注入）とを含む注入が実施されたとして、このことが視覚的に分かるように、第１のフェーズに対応するものとして２つのインジケータが表示され、第２のフェーズに対応するものとして１つのインジケータが表示される（図２５Ｃの「３」の番号が付された結果の表示内容参照。第１フェーズのインジケータの右に第２のフェーズのインジケータが表示される。）。このようなインジケータを用いた表示は、インジケータの個数や色を見て各フェーズの注入内容を的確に把握することができる点で好ましい。また、文字情報を表示する場合に比べ、比較的小さいサイズでも十分な情報量を与えることができるので、図２５Ｃのような態様での注入結果の表示に特に好適である。
【０１０５】
（ｂ６：他の画面表示）
ミキシングデバイスを用いた混和であることを示す表示としては、図１９のように、画面の所定のウィンドウ７０７ｗ内に表示されたミキシングデバイス画像７０７ｓであってもよい。ウィンドウ７０７ｗは、この例では、画面の上端付近のバー状のウィンドウである。このようにミキシングデバイス画像７０６ｓが表示されていることで、操作者は、ミキシングデバイスを用いた混和であることを直感的に確認することができる。
【０１０６】
また、図２０のような表示態様であってもよい。この例では、２つのフェーズを含む注入条件が設定されており、各フェーズの注入条件（注入速度、注入量等）が第１フェーズ表示部７０６ａ、第２のフェーズ表示部７０６ｂにそれぞれ表示されている。そして、第１フェーズ表示部７０６ａ、第２のフェーズ表示部７０６ｂに、ミキシングデバイス画像７０６ｓが表示されている。これは、それぞれのフェーズで混和注入が行われることを意味している。
【０１０７】
このミキシングデバイス画像７０６ｓは画像ボタンとして機能するものであってもよい。ミキシングデバイス画像７０６ｓを押すと、所定の注入条件変更画面（例えば図２２）が表示されるように構成されていてもよい。図２２の例では、図１２のものと概ね類似するテンキーウィンドウ７１５′が表示され、このウィンドウ内には希釈設定ボタン７１３ａ〜７１３ｃが表示されている。また、同ウィンドウ内に、ミキシングデバイス画像７１５ｓおよび／または現在の希釈割合（ここでは「５０％」）が表示されるようになっていてもよい。
【０１０８】
図２１の表示態様のように、第１フェーズ表示部７０６ｃのみが表示され、その付近（この例では側方）にミキシングデバイス画像７０６ｓが表示されるようになっていてもよい。当該画像も、上記と同様、画像ボタンとして機能するものであってもよい。
【０１０９】
以上、本発明の具体的な形態について図面を参照しながら説明したが、本発明はその趣旨を逸脱しない範囲で適宜変更可能である。
【０１１０】
（１）例えば、上記形態では、グラフィカルユーザインターフェースをコンソールのディスプレイに表示することについて説明したが、それ以外にも、例えば、デスクトップ型のコンピュータとして設けられたワークステーションや、タブレット型の端末等に上述したような機能が実装されていてもよい。
【０１１１】
上記した一連のグラフィカルユーザインターフェースの表示態様等については、表示の方法に関する発明として表現可能であり、また、コンピュータに当該方法を実施させるためのコンピュータプロラムの発明としても表現可能である。
【０１１２】
（２）例えば、注入ヘッドは注入ヘッドの傾きを検出する傾斜センサを有していてもよい。一般に、この種の注入ヘッドは、その前端側（つまりシリンジ側）が上方となるような姿勢でシリンジ内への薬液吸引が実施される。一方、薬液注入は、注入ヘッドの前端側が相対的に下方となるような姿勢（先端側をやや下に向けた姿勢）で実施される。傾斜センサの検出結果を用いることで、例えば、望ましくない姿勢での薬液吸引または薬液注入することを防止するこができる。また、傾斜センサの検出結果に基づき、注入ヘッドが上方を向いているか、下方を向いているかを識別し、表示部１４６に表示させる文字等の向きを上下反転させる制御を行うようにしてもよい。このような構成によれば、注入ヘッドの向きに関わらず、操作者は良好に表示内容を確認できるものとなる。
【０１１３】
（３）注入ヘッド１１０を保持する機構としては図１８のようなものであってもよい。この保持機構１３２０は、ベース部１３２５と、該ベース部１３２５に回動可能に連結された第１のアーム部材１３３１と、上記ベース部１３２５に回動可能に連結された第２のアーム部材１３３７と、上記第１および第２のアーム部材の先端側の端部がそれぞれ回動可能に連結され注入ヘッド１１０が取り付けられる保持部材１３４１とを備えている。ベース部１３２５、第１および第２のアーム部材１３３１、１３３７、ならびに保持部材１３４１によって平行リンクが構成される。
【０１１４】
ベース部１３２５は、他の部材を介してまたは介することなく、可動式のスタンドの支柱（不図示）または撮像装置の寝台の所定の取付位置に固定される。図１８の保持機構は、平行リンク機構として設けられているので、注入ヘッド１１０の同じ姿勢のまま、前後方向に回動させることができる。
【０１１５】
図１８の注入ヘッド保持機構１３２０を医療施設内の所定の箇所または所定の医療機器に取り付けるために、図２６のような取付機構を利用することができる。この取付機構５００は、注入ヘッド等を撮像装置のガイドレール（詳細下記）に固定するためのものである。
【０１１６】
取付機構５００は、大きく分けて、注入ヘッド保持機構１３２０の一部を保持するための保持アセンブリ５１０と、その保持アセンブリ５１０を支持するベースアセンブリ５５０とで構成されている。なお、保持アセンブリ５１０とベースアセンブリ５５０は、別部品であってもよいし、一体的に構成されたものであってもよい。
【０１１７】
保持アセンブリ５１０は、図２７にも示すように、注入ヘッド保持構造１３２０に設けられた丸軸１３２７が挿入される受入れ孔５１５を有する部材である。受入れ孔５１５は、この例では、丸孔で垂直に延在するように形成されている。なお、受入れ孔５１５の細部の構造や丸軸１３２７を固定するための構造等については他の図面も参照して後述するものとする。
【０１１８】
ベースアセンブリ５５０は、撮像装置のガイドレール３３０に取外し可能に固定される部材である。ガイドレール３３０は、例えば撮像装置の寝台の側部に設けられており、必要に応じて各種医療用機器が取り付けられる。ガイドレール３３０は、一般的に、矩形断面の金属製長尺部材である。
【０１１９】
ベースアセンブリ５５０は、その上面部に保持アセンブリ５１０が固定されている。ベースアセンブリ５５０は、この例では、ガイドレール３３０に対して上方から載せるようにして取り付けられるものである。ベースアセンブリ５５０は、図２７に示すように、下方に延び出した２つの延出部５５１Ａ、５５１Ｂを有している。延出部５５１Ａ、５５１Ｂ（区別せず延出部５５１ともいう）には、下面側から鉛直上方に向かって形成された受入れ溝５６０が設けられており、この溝内にガイドレール３３０が入るようになっている。
【０１２０】
ベースアセンブリ５５０の全体的な形状は、特に限定されるものではないが、本実施形態では図２８（ガイドレール３３０の側面に垂直な方向から見た図）に示すように、略逆∨字状（水平部分とその両端から斜め下方に向かって延びる２つの部分とからなる）となっている。ベースアセンブリ５５０は、図２８の符号５５９に示すような直方体型のブロック状部材で構成してもよいが、本実施形態では、そのようなブロック状部材５５９の左右の肩部５５９ａ、５５９ｂ、および、中央下部５５９ｃを省いたような全体形状である。これにより、保持の安定性を維持しつつコンパクトかつ軽量な構造となっている。
【０１２１】
図２９、図３０に示すように、延出部５５１には締付けハンドル５５６が設けられており、これを回すことで受入れ溝５６０内に当接部材５５５が進出するように構成されている。当接部材５５５は、この例では、フラットな押圧面５５５ａを有しており、この押圧面５５５ａがガイドレール側面に当接するようになっている。
【０１２２】
図３１〜図３４を参照して、保持アセンブリ５１０による保持の仕組みについて説明する。図３１、図３２に示すように、保持構造１３２０の丸軸１３２７は、ベース部１３２５から下方に突出しており、その一部に凹部１３２７ａが形成されている。凹部１３２７ａは、丸軸１３２７の径を部分的に小さくした部分であり、ここに、後述する保持アセンブリ５１０の当接部材５２７が嵌まるようになっている。丸軸１３２７の基端部付近には、軸から径方向外側に向かって張り出したキー部１３２７ｂが形成されている。限定されるものではないが、キー部１３２７ｂは、左右の２つの斜辺とその２つをなだらかなカーブでつなぐ頂部とで形作られる山型の形状であってもよい。
【０１２３】
このように形成された丸軸１３２７は、保持アセンブリ５１０の受入れ孔５１５に差し込まれる。受入れ孔５１５の入口付近には、図３３に示すように、凹部５１５ｃ（キー部１３２７ｂと相補的な形状）が形成されており、丸軸１３２７のキー部１３２７ｂがそこに嵌まり込むように丸軸１３２７の取付けが行われることで、丸軸１３２７の回転が規制されるようになっている。
【０１２４】
保持アセンブリ５１０に設けられたハンドル５２６を回すことで、受入れ孔５１５内に係合部材５２７が進出する。係合部材５２７は、丸軸１３２７の凹部１３２７ａの外周に沿うような形状の湾曲面５２７ａを先端に有している。係合部材５２７を所定位置まで進出させると、係合部材５２７の先端部が凹部１３２７ａ内に入った状態となり、これにより、丸棒１３２７が受入れ孔５１５から抜けることが防止される。
【０１２５】
上述したような保持構造では、丸軸１３２７の回転方向の動きおよび軸方向の動きの双方が規制される。したがって、不測の原因により丸軸１３２７が抜けて保持構造１３２０（さらにはそれに保持された注入ヘッド１１０）が落下することが防止される。また、キー部１３２７ｂと凹部５１５ｃの係合作用で回転を規制する方式であるので、構造が簡素であり、かつ、回転規制のために取付時に煩雑な作業も要しない。丸棒１３２７の抜けの防止に関しても、ハンドル５２６を回すだけなので作業は簡単である。
【０１２６】
さらに、図３５〜図３８に示すような構造を採用してもよい。この取付構造５００′は、基本的には上述した取付構造５００と同様の機能を有するが、ガイドレール３３０への固定方式が異なっている。取付構造５００と同様の構造および機能に関しては、重複を避けるため説明を省略するものとする。すなわち、取付構造５００をガイドレール３３０に対して上方から取り付けるのではなく、ガイドレール３３０の端部側から取付構造５００をスライドさせるようにして取り付ける方式である。
【０１２７】
図３７、図３８に示すように、延出部５５１は矢印Ａ方向から見て、ガイドレールを取り囲むような略コの字型に形成されている。「略コの字型」は、図３８に示すように、ガイドレール３３０の側面の一方の面する第１部分５５７と、ガイドレール３３０の上面および下面に沿う第２部分５５８ａおよび第３部分５５８ｂと、ガイドレール３３０の反対側の側面に面する第４部分５５９とで構成されている。より詳細には、第４部分５５９としては、ガイドレール３３０の上面側に当接する上方の第４部分５５９と、ガイドレール３３０の下面側に当接する下方の第４部分５５９とが形成されている。このような構成により、結局、図３８に示すように空隙部Ｓ５５１が形成さされることとなる。このような構成とすることで、ガイドレール３３０に取り付けられた他の部材（不図示）等と干渉することなく、取付構造５００をガイドレール３３０に沿ってスライド移動させることが可能となる。
【０１２８】
図３５〜図３８の例では、ハンドル５２６′、５５６′の形状が前述したものと異なっているが、このように取付構造５００の各部の形状や部品に関しては種々のもの使用することができる。ハンドル５５６′を回し、当接部材５５５のフラットな当接面５５５ａと第４部分５５９のフラットな面５５９ａとでガイドレール３３０の両側面を挟み込むことで、取付構造５００のガイドレール３３０への安定的な固定が実現される。
【０１２９】
（４）薬液注入装置の機能説明の補足
本発明の一形態に係る血管造影用の薬液注入装置は、「インフュージョンモード」による自動注入を実施するものであってもよい。血管造影検査の場合、通常、医師が薬液注入装置の所定のスイッチを押している間のみ薬液の自動注入が行われる。しかしながら、インフュージョンモードでは、予め設定された注入速度および／または注入量で所定時間にわたって薬液の自動注入が行われる。この場合の薬液としては例えば抗がん剤などが挙げられる。このモードでは、注入速度は比較的低速に設定される。図３９の例では１．０ｍＬ／ｓｅｃである。インフュージョンモードとしては、図３９Ａ〜図３９Ｄのような画像が表示されてもよい。
【０１３０】
図３９Ａは、チェック状態の画面である。この画面では、シリンジの画像７１７ｐ、シリンジ残量、全量注入ボタン、注入速度、注入量、注入時間、積算量等の情報が表示されている。なお、これらのうち１つまたは複数が省略されてもよい。この画面で「チェック」ボタンを押すと、次いで、図３９Ｂのスタンバイ状態に遷移する。なお、これらの状態で、例えばホームボタン（不図示）を押すことで、ホーム画面（当該画面から各種モードを選択してそのモードに移行できる画面のことをいう）に戻ることができるように構成されていてもよい。
【０１３１】
図３９Ｂの画面で「スタンバイ」ボタンを押すと、次いで、図３９Ｃのスタンバイ状態に遷移する。この画面では、一例として「スタートＯＫ」の文字と注入開始用の表示に切り替わったボタンが表示されている。そしてこのボタン７２２を押すことで、または、他の所定のボタンを押すことで、インフュージョンモードでの自動注入が開始される。
【０１３２】
注入中は、図３９Ｄのような画面が表示されるようになっていてもよい。この注入中画像では、１つのシリンジ７１７ｐから複数の液滴が送出されているようなアニメーション表示が行われる。インフュージョンモードであることを医療従事者が良好に確認できるように、一形態では、シリンジ内の薬液の色および／液滴の色を、血管造影のための通常注入時の注入画面でのものと異なる色で表示するようにしてもよい。例えば、通常注入時では造影剤を緑色で生理食塩水を青色で表し、インフュージョンモードでは薬液をその他の色で表示するようにしてもよい。注入時間に関しては、残り時間がカウントダウン方式で表示されてもよいし、視覚的に確認できるインジケータが表示されてもよい。
【０１３３】
なお、インフュージョンモードは、基本的には、シリンジ内の薬液を全て打ち切るまで注入が継続するものであってもよいが、必要に応じ、途中で中断・停止することができるように構成されている。
【０１３４】
（５）血管造影用薬液注入装置でのＣＴモード注入
図１８に示されているような血管造影用の薬液注入装置の注入ヘッドは、細いカテーテルを通じて造影剤を注入する必要があることから、基本的には高圧で注入が行われる（一例で、５００ｐｓｉ〜１２００ｐｓｉ）。しかしながら、ＣＴ検査用の注入ヘッドで実施されるような比較的低圧の注入を行う「ＣＴモード」が用意されていてもよい。ＣＴモードの薬液注入では、例えば３００ｐｓｉ以下の範囲で注入が実施される。また、血管造影とは異なる注入速度の上限値（例えば１０ｍｌ／ｓｅｃ以下）が設定されていてもよい。限定されるものではないが、いずれのモード（ここでは、アンギオグラフィモードとＣＴモード）で薬液注入を実施するかを、グラフィカルユーザインターフェースを介して選択できるように構成されていてもよい。例えば、各モードを示すアイコンがコンソール画面上に表示され、操作者がそのいずれかを選ぶことでモードが選択されてもよい。
【０１３５】
このようにアンギオグラフィモード（血管造影）での注入と、ＣＴモードでの注入のように、異なるモードの注入が実施可能な構成においては、共通の入力操作によって各モードでの薬液注入が開始されるように構成してもよいが、本実施形態では次のように構成されていてもよい。すなわち、あるモードにおける注入開始のための入力と、他のモードにおける注入開始のための入力とが、異なる操作となるように設定されている。具体的には、アンギオグラフィモードで注入を行うためには例えばハンドスイッチを押すことが必要であり、ＣＴモードで注入を行うためには例えばそれとは別の機器の所定のスイッチを押すことが必要となっている。このように敢えて異なる入力が必要とされていることで、より安全な薬液注入が実施可能となる。
【０１３６】
薬液注入装置１００が血管造影用の撮像装置３００−２と通信可能に接続されている構成においては、両機器が連動して動作するように構成されていることが一形態において好ましい。例えば、撮像装置３００−２の所定の機器を操作すると、薬液注入装置１００の注入が開始されるようになっていても良い。連動がＯＮ状態であることを示す画像（アイコン等）が薬液注入装置１００の所定の表示デバイス上に表示されるようになっていてもよい。スタンバイ画面に移行した場合にＯＮ状態であることを示す画像（アイコン等）が表示されるようになっていてもよい。例えば、不意にケーブルが抜けるなどして非接続状態となった場合、次のような動作を行うように構成されていてもよい：
−スタンバイ状態での非接続状態化の場合、スタンバイを解除する、
−注入中であれば注入を中断する。
【０１３７】
（６）発光パターン
注入ヘッド１１０の動作に関し、操作ノブ１７０（図４０参照）を回したときやピストン駆動機構の動作状況に応じて、発光部１７３′が所定の発光パターンで発行するように構成されていてもよい。発光部１７３′の発光素子の配置パターンとしては種々のパターンを採用し得るが、ここでは、図４１のように、操作ノブ１７０を包囲するような態様で複数の発光素子が配置されているものとする。
【０１３８】
発光素子としては、１つの素子で複数種類の色での発光を行うことができるものを並べてもよいし、あるいは、発光色の異なる素子を交互に、または、所定の順番で並べていってもよい。図４１では、色の違いを模式的に示すために第１の色１７３ａと第２の色１７３ｂとが示されている。
【０１３９】
注入ヘッド１１０は、ピストン駆動機構のラム部材を前進させるときに（薬液注入時、操作ノブを手動動作させた場合等）、第１の色１７３ａを時計回りまたは反時計周りに順次表示して行くアニメーション表示を行うように構成されていてもよい。この場合、第２の色１７３ｂは発光させない。操作ノブを手動操作している場合には、その回転の速さに合わせてアニメーション表示の速度（つまり、発光素子の発行状態を切り替えていく速さ）を変更させてもよい。ラム部材を後退させるときには、上記と反対方向の表示を行うようにする。自動注入の場合には、設定された薬液注入速度に合せて、アニメーション表示の速度（つまり、発光素子の発行状態を切り替えていく速さ）を変更させてもよい。
【０１４０】
発光部１７３′の発光パターンによって、薬液注入装置が今どのようなステータスにあるかが分かるようになっていることも好ましい。そこで、本発明の一形態では、例えば「スタートＯＫ」状態になっているのであれば、次の表示を行うように構成されていてもよい：
注入ヘッド１１０の２つの発光部１７３′のうち、一方については、第１のシリンジに対応した第１の色（例えば緑色）で発光素子を点灯させ、他方については、第２のシリンジに対応した第２の色（例えば水色）で点灯させる。
【０１４１】
何らかの理由でエラー状態となった場合には、２つの発光部１７３′のうち一方または両方で、点灯と消灯とを繰り返す発光パターンとしてもよい。
【０１４２】
本明細書に開示した個々の技術的特徴部は、他の技術的特徴部と適宜組み合わせることが可能である。また、複数の要素のうち１つまたは複数を省略することも可能である。
【０１４３】
なお、本明細書で云う各種の構成要素（デバイス、装置、手段、部、ユニットなど）は、個々に独立した存在である必要はなく、複数の構成要素が一個の部材として形成されていてもよい。一つの構成要素が複数の部材で形成されていてもよい。ある構成要素が他の構成要素の一部であってもよい。ある構成要素の一部と他の構成要素の一部とが重複していてもよい。
【０１４４】
（付記）
本出願は以下の内容を開示する。なお、括弧内の符号は参考として付したものであり、本発明を限定する意図のものではない。
１．ａ：円筒状のシリンダ部材にピストン部材がスライド自在に挿入されたシリンジを保持するシリンジ保持部（１４０）と、
ｂ：上記シリンジのピストン部材を移動させるためラム部材（１３１）を有するピストン駆動機構（１３０）と、
ｃ：第１の色で発光し上記シリンジを照らす第１の発光部（１３３ａ）および第２の色で発光し上記シリンジを照らす第２の発光部（１３３ｂ）と、
を備える注入ヘッド（１１０）であって、
第１の発光部（１３３ａ）および第２の発光部（１３３ｂ）は、注入ヘッドの使用時姿勢で見て、上記ラム部材（１３１）よりも上方に設けられている、
注入ヘッド（１１０）。
【０１４５】
２．上記第１の発光部（１３３ａ）および第２の発光部（１３３ｂ）は、円弧形状に形成されている。
【０１４６】
３．上記第１の発光部（１３３ａ）および第２の発光部（１３３ｂ）は、上記ラム部材の中心軸と同軸の円弧形状である。
【０１４７】
４．上記シリンジは保護ケース（８４０）に収めた状態で上記シリンジ保持部に保持される。
【０１４８】
５．上記第１の発光部（１３３ａ）および第２の発光部（１３３ｂ）の発光に関し、
薬液注入の準備フェーズでは、第１の発光部（１３３ａ）を点灯または点滅させず、
薬液注入フェーズで、第１の発光部（１３３ａ）を点灯または点滅させる、ように構成されている。
【０１４９】
・「薬液注入の準備フェーズ」とは、薬液注入フェーズに至る前のフェーズであって、シリンジ等が注入ヘッドにセットされる段階や、シリンジ内に薬液を充填する段階のことをいう。
・「薬液注入フェーズ」とは、実際に薬液を注入している段階のみであってもよいし、または、それに加えて、その直前段階（例えば注入を開始するために操作者が最終的な入力（「スタートＯＫ」を押す等）を行う段階）、および／または、直後段階（注入停止の段階）を含むものであってもよい。
【０１５０】
このように、準備フェーズと注入フェーズとで、発光の態様を変えることで、操作者は、現時点のフェーズが何であるかを知ることが可能となる。
【０１５１】
６．上記シリンジを検出した場合、または上記シリンジに装着された保護ケースを検出した場合に、第１の発光部または第２の発光部のいずれかまたは両方を点灯または点滅させるように構成されている（消灯状態からの点灯／点滅状態への遷移）。
【０１５２】
７．上記シリンジ保持部は、上記シリンジの一部または同シリンジに装着された保護ケースの一部を保持するクランパ機構を有し、
上記クランパ機構が開状態から閉状態に切り換わった場合、または、閉状態から開状態に切り換わった場合に、第１の発光部または第２の発光部のいずれかまたは両方を点灯または点滅させるように構成されている（消灯状態からの点灯／点滅状態への遷移）。
【０１５３】
８．上記のいずれかに記載の注入ヘッド（１１０）と、上記注入ヘッドに接続されたコンソール（２１０）と、を備える薬液注入装置。
【０１５４】
９．１つまたは複数のディスプレイ（１４６）と、
第１の薬液が充填された第１の薬液収納体（８００Ａ）および第２の薬液が充填された第２の薬液収納体（８００Ｂ）から薬液を押し出す装置における注入条件を設定するためのグラフィカルユーザインターフェースの情報を保持した制御装置（２５０）と、
を備える注入条件設定システム（２１０）であって、
上記グラフィカルユーザインターフェースは、
第１の薬液と第２の薬液との混和条件に関する情報を示す表示部（７１６）と、
混和条件を変更するためのウィンドウ（７１５）であって、操作者が入力を行うための入力ボタン画像（７１２）と、混和の方式を選択するための複数の混和方式設定ボタン（７１３）とを含むウィンドウ（７１５）と、
を含む、注入条件設定システム。
【０１５５】
１０．上記複数の混和方式設定ボタン（７１３）として、倍率方式ボタン（７１３ａ）、割合方式ボタン（７１３ｂ）、および比率方式ボタン（７１３ｃ）のうち少なくとも２つが表示される。
【０１５６】
１１．操作者が入力を行うための上記入力ボタン画像（７１２）がテンキーである。
【０１５７】
１２．上記第１の薬液収納体が第１のシリンジであり、上記第２の薬液収納体が第２のシリンジである。
【符号の説明】
【０１５８】
１００  薬液注入装置
１１０  注入ヘッド
１１１  筐体
１１１ａ  前端面
１３０  ピストン駆動機構
１３１  ラム部材
１３２  ボールナットユニット
１３３ａ、１３３ｂ（１３３）、１３３ａ′、１３３ｂ′  発光部
１３５  ボールねじ
１３７  伝達機構
１３９  モータ
１３９ｓ  回転センサ
１４０  シリンジ保持部
１４１  保護ケース受け
１４５  クランパ
１４６  表示部
１５０  制御回路
１６１  物理ボタン
１６２  位置センサ
１６３  クランパセンサ
１６４  シリンジセンサ
１６５  圧力センサ
１６８  記憶部
１６９  インターフェース
１７０  操作ノブ
１７３  インジケータ
１９０  電源ユニット
２１０  コンソール
２５０  制御部
２５１  ディスプレイ
２５３  タッチパネル
２５７  スロット
２６１  記憶部
２６２  通信部
２６９  インターフェース
３００（３００−１、３００−２）  撮像装置
３３０  ガイドレール
３１１  ＲＩＳ
３１３  ＰＡＣＳ
３１５  情報管理装置
３１７  情報表示端末
３１９  撮像室内モニタ
５００  取付機構
５１０  保持アセンブリ
５１５  受入れ孔
５２６  ハンドル
５２７  係合部材
５５０  ベースアセンブリ
５５１Ａ、５５１Ｂ  延出部
５５５  当接部材
５５６、５５６′  ハンドル
５５７、５５８ａ、５５８ｂ、５５９  第１部分〜第４部分
５６０  受入れ溝
７０１  人体画像
７０３  撮像部位
７０４ａ、７０４ｂ  インジケータ
７０５ａ  注入速度ウィンドウ
７０５ｂ  注入量ウィンドウ
７０６ａ、７０６ｂ、７０６ｃ  フェーズ表示部
７０６ｓ、７０７ｓ  ミキシングデバイス画像
７０７ｗ  ウィンドウ
７０７〜７０９  画像ボタン
７１１  画像ボタン
７１２  テンキー
７１３ａ〜７１３ｃ  希釈設定ボタン
７１４  エンターキー
７１５、７１５′  テンキーウィンドウ
７１７ａ、７１７ｂ、７１７ｐ  シリンジ
７１８  ミキシングデバイス
７１９ａ、７１９ｂ  経路
７２１  一時停止表示
７２２  画像ボタン
８００（８００Ａ、８００Ｂ）  シリンジ
８１０  シリンダ部材
８２０  ピストン部材（プランジャ）
８４０  保護ケース
１３２０  保持機構
１３２５  ベース部
１３２７  丸棒
１３３１、１３３７  アーム部材
１３４１  保持部材
１７０５ａ、１７０５ｂ  ウィンドウ
１７６１  注入結果表示
１７６２  モード表示
１７６３  ウィンドウ
【図１】
2019103110.tif 000003
【図２】
2019103110.tif 000004
【図３】
2019103110.tif 000005
【図４】
2019103110.tif 000006
【図５】
2019103110.tif 000007
【図６】
2019103110.tif 000008
【図７】
2019103110.tif 000009
【図８】
2019103110.tif 000010
【図９】
2019103110.tif 000011
【図１０】
2019103110.tif 000012
【図１１】
2019103110.tif 000013
【図１２】
2019103110.tif 000014
【図１３】
2019103110.tif 000015
【図１４】
2019103110.tif 000016
【図１５】
2019103110.tif 000017
【図１６】
2019103110.tif 000018
【図１７】
2019103110.tif 000019
【図１８】
2019103110.tif 000020
【図１９】
2019103110.tif 000021
【図２０】
2019103110.tif 000022
【図２１】
2019103110.tif 000023
【図２２】
2019103110.tif 000024
【図２３】
2019103110.tif 000025
【図２４】
2019103110.tif 000026
【図２５Ａ】
2019103110.tif 000027
【図２５Ｂ】
2019103110.tif 000028
【図２５Ｃ】
2019103110.tif 000029
【図２６】
2019103110.tif 000030
【図２７】
2019103110.tif 000031
【図２８】
2019103110.tif 000032
【図２９】
2019103110.tif 000033
【図３０】
2019103110.tif 000034
【図３１】
2019103110.tif 000035
【図３２】
2019103110.tif 000036
【図３３】
2019103110.tif 000037
【図３４】
2019103110.tif 000038
【図３５】
2019103110.tif 000039
【図３６】
2019103110.tif 000040
【図３７】
2019103110.tif 000041
【図３８】
2019103110.tif 000042
【図３９Ａ】
2019103110.tif 000043
【図３９Ｂ】
2019103110.tif 000044
【図３９Ｃ】
2019103110.tif 000045
【図３９Ｄ】
2019103110.tif 000046
【図４０】
2019103110.tif 000047
【図４１】
2019103110.tif 000048
【国際調査報告】
2019103110.tif 000049
2019103110.tif 000050
2019103110.tif 000051
2019103110.tif 000052
2019103110.tif 000053
2019103110.tif 000054